(57)【要約】  本発明は、少なくとも１つの燃焼ゾーン（１２）と、該燃焼ゾーン（１２）に接続された蒸発ゾーン（１４）とを備える改質器（１０）の合計空気比を調整／制御するための方法およびシステムに関する。本発明は、合計空気比を調整／制御するために、燃焼ゾーン（１２）の空気比が調整され、かつ燃焼ゾーン（１２）と蒸発ゾーン（１４）とに送られる燃料レートが制御されることを特徴とする。本発明はまた、少なくとも１つの燃焼ゾーン（１２）および該燃焼ゾーン（１２）に接続された蒸発ゾーン（１４）を備える改質器（１０）と、改質器（１０）の合計空気比を調整／制御するための制御器（２６）とを備えるシステムに関する。本発明は、制御器（２６）が、合計空気比を調整／制御するために、燃焼ゾーン（１２）の空気比を調整するように、かつ燃焼ゾーン（１２）と蒸発ゾーン（１４）とに供給される燃料レートを制御するように構成されることを特徴とする。
2010503598.tif 000002
【特許請求の範囲】
【請求項１】
少なくとも１つの燃焼ゾーン（１２）と、該燃焼ゾーン（１２）に接続された蒸発ゾーン（１４）とを備える改質器（１０）の合計ラムダ値を閉／開ループ制御するための方法において、前記合計ラムダ値を閉／開ループ制御するために、前記燃焼ゾーン（１２）のラムダ値の閉ループ制御および前記燃焼ゾーン（１２）と前記蒸発ゾーン（１４）とにそれぞれ供給される燃料性能の開ループ制御が行われることを特徴とする方法。
【請求項２】
前記燃焼ゾーン（１２）のラムダ値の閉ループ制御が、前記燃焼ゾーン（１２）のラムダ値を感知して、前記燃焼ゾーン（１２）への燃焼空気の供給を調整することによって行われることを特徴とする、請求項１に記載の方法。
【請求項３】
前記燃焼空気の送給が前記燃焼ゾーン（１２）に付設された燃焼空気ブロア（１８）によって実行されることを特徴とする、請求項２に記載の方法。
【請求項４】
前記燃焼ゾーン（１２）のラムダ値の閉ループ制御が、ＰＩＤ制御器（２６）によって実行されることを特徴とする、請求項１〜３のいずれか１項に記載の方法。
【請求項５】
前記燃焼ゾーン（１２）と前記蒸発ゾーン（１４）とに各々供給される燃料性能は、前記燃焼ゾーン（１２）と前記蒸発ゾーン（１４）とにそれぞれ付設された燃料ポンプ（２０、２２）によって供給されることを特徴とする、請求項１〜４のいずれか１項に記載の方法。
【請求項６】
前記燃焼ゾーン（１２）に付設された前記燃料ポンプ（２０）、および前記蒸発ゾーン（１４）に付設された前記燃料ポンプ（２２）の開ループ制御が、それぞれ特性に基づき行われることを特徴とする、請求項５に記載の方法。
【請求項７】
前記燃焼ゾーン（１２）のラムダ値の閉ループ制御のための命令変数および各々の燃料性能供給の開ループ制御のための対応する基準変数が、計算器（２４）によって規定されることを特徴とする、請求項１〜６のいずれか１項に記載の方法。
【請求項８】
前記計算器（２４）が、少なくとも感知データに基づき前記命令変数および各々の基準変数を計算することを特徴とする、請求項７に記載の方法。
【請求項９】
前記燃焼ゾーン（１２）と前記蒸発ゾーン（１４）とに供給される前記燃料性能の比率に基づき、および前記燃焼ゾーン（１２）のラムダ値に基づき、前記計算器（２４）が前記合計ラムダ値を決定し、そして前記感知データおよび／または前記合計ラムダ値に基づき前記命令変数および前記基準変数を規定することができることを特徴とする、請求項８に記載の方法。
【請求項１０】
少なくとも燃焼ゾーン（１２）および該燃焼ゾーン（１２）に接続された蒸発ゾーン（１４）を備える改質器（１０）と、該改質器の合計ラムダ値を閉／開ループ制御するための制御器（２６）とを有するシステムにおいて、前記制御器（２６）が、前記燃焼ゾーン（１２）のラムダ値を閉ループ制御することによって前記合計ラムダ値を閉／開ループ制御し、前記燃焼ゾーン（１２）と前記蒸発ゾーン（１４）とに各々供給される燃料性能を開ループ制御するために適していることを特徴とするシステム。
【請求項１１】
前記制御器（２６）が、前記燃焼ゾーン（１２）の既存のラムダ値を捕捉することによっておよび前記燃焼ゾーン（１２）への燃焼空気の供給を調整することによって、前記燃焼ゾーン（１２）のラムダ値の閉ループ制御を行うために適していることを特徴とする、請求項１０に記載のシステム。
【請求項１２】
前記制御器（２６）が、前記燃焼ゾーン（１２）に付設された燃焼空気ブロア（１８）によって前記燃焼空気の送給を行うために適していることを特徴とする、請求項１１に記載のシステム。
【請求項１３】
前記制御器（２６）が、前記燃焼ゾーン（１２）のラムダ値の閉ループ制御を行うために適したＰＩＤ制御器（１６）を備えることを特徴とする、請求項１０〜１２のいずれか１項に記載のシステム。
【請求項１４】
前記制御器（２６）が、前記燃焼ゾーン（１２）と前記蒸発ゾーン（１４）とに付設されたそれぞれの燃料ポンプ（２０、２２）によって前記燃焼ゾーン（１２）と前記蒸発ゾーン（１４）とに送給される前記それぞれの燃料性能の供給を実行するために適していることを特徴とする、請求項１０〜１３のいずれか１項に記載のシステム。
【請求項１５】
前記制御器（２６）が、前記燃焼ゾーン（１２）に付設された前記燃料ポンプ（２０）、および前記蒸発ゾーン（１４）に付設された前記燃料ポンプ（２２）の開ループ制御を各々特性に基づき行うために適していることを特徴とする、請求項１４に記載のシステム。
【請求項１６】
前記制御器（２６）が、前記燃焼ゾーン（１２）のラムダ値の閉ループ制御のための命令変数と、前記それぞれの燃料性能供給の開ループ制御のための対応する基準変数とを規定するために適した計算器（２４）を備えることを特徴とする、請求項１０〜１５のいずれか１項に記載のシステム。
【請求項１７】
前記計算器（２４）が、少なくとも感知データに基づき前記命令変数および各々の基準変数を計算するために適していることを特徴とする、請求項１６に記載のシステム。
【請求項１８】
前記燃焼ゾーン（１２）と前記蒸発ゾーン（１４）とに供給される前記燃料性能の比率に基づき、および前記燃焼ゾーン（１２）のラムダ値に基づき、前記計算器（２４）が前記合計ラムダ値を決定し、かつ前記感知データおよび／または前記合計ラムダ値に基づき前記命令変数および前記基準変数を規定するために適していることを特徴とする、請求項１７に記載のシステム。
【発明の詳細な説明】
【技術分野】
【０００１】
本発明は、少なくとも燃焼ゾーンと、この燃焼ゾーンに接続された蒸発ゾーンとを備える改質器の合計空気比をフィードバック制御／制御する、言い換えれば、合計ラムダ値を閉／開ループ制御するための方法に関する。
【０００２】
さらに、本発明は、少なくとも１つの燃焼ゾーンと、この燃焼ゾーンに接続された蒸発ゾーンとを備える改質器と、合計ラムダ値を閉／開ループ制御するための制御器とを有するシステムに関する。
【背景技術】
【０００３】
燃料電池システム、特にＳＯＦＣ燃料電池システムでは、通常、酸化剤、特に空気および燃料の供給から水素リッチガス混合気もしくはリフォーメートを形成する改質器が使用される。例えば、このような改質器は、燃焼ゾーンもしくは酸化ゾーンおよびこの燃焼ゾーンに接続された蒸発ゾーンもしくは混合気形成ゾーンを備えてもよい。通常、燃焼ゾーンは、空気および燃料の供給を受け、この結果、燃料と空気を利用してガス混合気の発熱性反応が行われ、これに対し、蒸発ゾーンでは、ガス混合気の蒸発を補助するためにさらなる燃料噴射が行われる。さらに、通常、このような改質器は、少なくともガス混合気が吸熱反応を受ける蒸発ゾーンを介して燃焼ゾーンに接続された触媒もしくは改質ゾーンを備える。より詳しくは、燃焼ゾーンは、燃料ポンプから燃料およびブロアから燃焼空気の供給を受け、燃焼ゾーンはまた、別の燃料ポンプを介して燃料供給を受けることができる。２つのポンプおよびブロアの開ループ制御は、改質器の改質操作の際に、０．３８５〜０．４６５の範囲の合計ラムダ値および８５０℃〜９００℃の範囲の動作温度が維持されるように大部分行われる。前述の合計ラムダ値の範囲外の改質操作は、システムのすす形成をもたらすことがあり、例えばラムダ値が小さすぎる場合、ガス濃度はあまりにも低くなるかまたは構成要素の温度があまりにも高くなる。これにより、効率の著しい低下がもたらされる可能性があり、同様に燃料電池システムの効率低下をもたらす。これに加えて、状況によっては、構成要素、したがって燃料電池システム全体の有効寿命の短縮をもたらされる可能性がある。これが、改質器の作動中（始動、通常作動等）に動作モードに応じて、合計ラムダ値の閉ループ制御が通常適切に行われる理由である。従来技術では、合計ラムダ値の閉ループ制御は、改質器に存在する合計ラムダ値を感知することにより適切な閉ループ制御の実行を可能にするために、広帯域ラムダセンサによって行われる。このような広帯域ラムダセンサを使用することは、残念ながら、改質器の合計ラムダ値の閉ループ制御の非常に高価な解決方法である。
【発明の概要】
【発明が解決しようとする課題】
【０００４】
したがって、本発明は、従来技術と比較して費用効果的に改質器の合計ラムダ値の閉／開ループ制御を行うことができるように、当該制御を行うための一般的な方法およびシステムを改良するという目的に基づいている。
【課題を解決するための手段】
【０００５】
本発明による方法は、合計ラムダ値を閉／開ループ制御するために、燃焼ゾーンのラムダ値の閉ループ制御および蒸発ゾーンに供給される燃料性能の開ループ制御が行われる点で、一般的な従来技術を改良したものであるが、同様に、開ループ制御の代わりに送給燃料性能の閉ループ制御が行われることが可能である。燃焼ゾーンのみのラムダ値の閉ループ制御に基づくおよび燃料性能の開ループ制御もしくはパイロット制御に基づく改質器の合計ラムダ値の閉／開ループ制御もしくは監視は、次式に従って実施することができる。
【０００６】
【数１】
2010503598.tif 000003
【０００７】
ここで、λＲｅｆは改質器の合計ラムダ値であり、
【０００８】
【数２】
2010503598.tif 000004
【０００９】
は改質器の燃焼ゾーンのラムダ値であり、ｋｐは、燃焼室に付設された燃料ポンプによって供給される燃料性能Ｐｏｘｉに対する、蒸発ゾーンに付設された燃料ポンプによって供給される燃料性能Ｐｖａｐの比率であり、またＰｒｅｆは改質器の合計燃料性能である。上記の式に従って燃焼ゾーンのラムダ値を閉ループ制御することによって、例えば燃焼ゾーンに存在するラムダ値を感知することによって、両方の燃料性能の比率を予め規定しつつ、改質器の合計ラムダ値を得ることができる。しかし、この場合、これは、改質器の合計ラムダ値を感知することなく行われ、したがって、広帯域ラムダセンサの必要性が排除される。したがって、本発明による方法は、閉／開ループ制御の費用効果的な手段を提供し、これによって、特に自動車のＳＯＦＣ用途で好ましいコスト節約が達成される。
【００１０】
本発明による方法は、燃焼ゾーンのラムダ値を感知して、燃焼ゾーンへの燃焼空気の供給を設定することによって燃焼ゾーンのラムダ値の閉ループ制御が行われる点で、さらに有利に改良することができる。好ましくは、既存のもしくは感知された燃焼ゾーンのラムダ値は、簡単なセンサ、例えば、ラムダセンサによって感知される。
【００１１】
さらに、本発明による方法は、燃焼空気の送給が燃焼ゾーンに付設された燃焼空気ブロアによって実行されるように構成してもよい。この構成では、燃焼空気ブロワは、空気を燃焼ゾーンに直接吹き込み、次に空気は蒸発ゾーンに達する。
【００１２】
さらに、本発明による方法は、燃焼ゾーンのラムダ値の閉ループ制御がＰＩＤ制御器によって実行されるように達成することができる。この構成では、ＰＩＤ制御器（ＰＩＤ伝達要素）は、燃焼空気ブロアを作動／設定することによって閉ループ制御を達成する際に、燃焼ゾーンのラムダ値を閉ループ制御するための手段として機能する。
【００１３】
同様に、燃焼ゾーンと蒸発ゾーンとに供給される燃料性能が、燃焼ゾーンと蒸発ゾーンとにそれぞれ付設された燃料ポンプによって供給されるように、本発明による方法を改良することが有利である。この構成では、燃焼ゾーンと蒸発ゾーンとに供給される燃料性能は、例えば、特に燃料ポンプを作動し、送給燃料流れを作動することによって決定することができる。例えば、燃料性能は、燃料の熱量値Ｈｕ（Ｈｉ）を決定することによって確認することができ、この結果、ある熱量値を利用することによって、ポンプの作動および必要な燃料性能が関連付けられる。
【００１４】
この関連で、本発明による方法は、燃焼ゾーンに付設された燃料ポンプ、および蒸発ゾーンに付設された燃料ポンプの開ループ制御が特性に基づき各々行われることによって実現することができる。これらの特性は、例えば、作動の性質および作動によって供給される送給燃料流れに関する情報を含む。この構成では、望ましい燃料性能への作動の変換は、以前の感知結果から、または経験的に、または例えば、関連のポンプ製造業者の仕様によって得られる特性に基づく伝達要素によって実行することが可能である。
【００１５】
さらに、本発明による方法は、燃焼ゾーンのラムダ値の閉ループ制御のための命令変数および各々の燃料性能供給の開ループ制御のための対応する基準変数が、ＩＴの意味で目標値または命令／基準変数発生器であり得る計算器によって規定されるように改良してもよい。
【００１６】
この関連で、同様に、計算器が、改質器および／または燃料電池システムの動作状態に相関する少なくとも感知データに基づき命令変数および各々の基準変数を計算するように、本発明による方法を改良することが有利である。例えば、感知データは、改質器の操作に関連する燃料電池システムの様々な構成要素から得ることが可能であるが、同様に、感知データは、改質器の動作状態に作用する当該改質器で感知される別のデータを含むことが可能である。
【００１７】
さらに、本発明による方法は、燃焼ゾーンと蒸発ゾーンとに供給される燃料性能の比率に基づき、および燃焼ゾーンのラムダ値に基づき、計算器が合計ラムダ値を決定し、また感知データおよび／または合計ラムダ値に基づき命令変数および基準変数を規定することができるように適用することができる。
【００１８】
本発明によるシステムは、制御器が、燃焼ゾーンのラムダ値を閉ループ制御することによって合計ラムダ値を閉／開ループ制御し、燃焼ゾーンと蒸発ゾーンとに各々供給される燃料性能を開ループ制御するために適切である点で、一般的な従来技術を改良したものである。この結果、本発明による方法と関連して説明したような特性および利点が同一または同様の程度に得られ、したがって、反復を回避するため、本発明による方法についてこの点に関する説明を参照する。
【００１９】
同じことが、本発明によるシステムの好ましい実施形態に当てはまり、したがって、ここでも、反復を回避するため、本発明による方法についてこの点に関する説明を参照する。
【００２０】
本発明によるシステムは、制御器が、燃焼ゾーンの既存のラムダ値を捕捉することによってまた燃焼ゾーンへの燃焼空気の供給を設定することによって、燃焼ゾーンのラムダ値の閉ループ制御を行うために適切である点で、さらに有利に改良することができる。
【００２１】
さらに、本発明によるシステムは、制御器が、燃焼ゾーンに付設された燃焼空気ブロアによって燃焼空気の送給を行うために適切であるように構成してもよい。
【００２２】
さらに、本発明によるシステムは、制御器が、燃焼ゾーンのラムダ値の閉ループ制御を行うために適切なＰＩＤ制御器を備えるように達成することができる。
【００２３】
本発明によるシステムは、制御器が、各々の燃焼ゾーンおよび蒸発ゾーンに付設された燃料ポンプによって燃焼ゾーンおよび蒸発ゾーンに各々送給される燃料性能の供給を実行するために適切であるように有利に設けることができる。
【００２４】
この関連で、制御器が、燃焼ゾーンに付設された燃料ポンプのおよび蒸発ゾーンに付設された燃料ポンプの開ループ制御を特性に基づき各々行うために適切であることが有利である。
【００２５】
さらに、本発明によるシステムは、制御器が、燃焼ゾーンのラムダ値の閉ループ制御のための命令変数と、燃料性能供給の開ループ制御のための対応する基準変数とを規定するために適切な計算器を備えるように実現することができる。
【００２６】
この関連で、計算器が、少なくとも感知データに基づき命令変数および各々の基準変数を計算するために適切であるように、本発明によるシステムを改良することが特に有利である。
【００２７】
さらに、燃焼ゾーンと蒸発ゾーンとに供給される燃料性能の比率に基づき、および燃焼ゾーンのラムダ値に基づき、計算器が合計ラムダ値を決定し、また感知データおよび／または合計ラムダ値に基づき命令変数および基準変数を規定することができるように、本発明によるシステムが構成されることを意図することが可能である。
【００２８】
次に、本発明について、添付図面を参照して特に好ましい実施形態により説明する。
【図面の簡単な説明】
【００２９】
【図１】本発明によるシステムに関連する改質器の概略図である。
【図２】本発明による方法を実行するためのブロック図である。
【発明を実施するための形態】
【００３０】
次に図１を参照すると、本発明によるシステムに関連する改質器１０の概略図が示されている。システムは、改質器１０の下流の燃料電池または燃料電池スタック、アフターバーナ等のような直接関係がなく、したがって図示しない構成要素を含むことが可能である。図１に示した例では、改質器１０は、燃焼ゾーン１２に付設された燃料ポンプ２０を介して燃料、好ましくはディーゼル燃料の供給を受けるための燃焼ゾーン１２を備え、この燃焼ゾーンは、燃焼空気ブロア１８を介して酸化剤もしくは燃焼空気の供給を受けることが可能である。センサ３０、好ましくはラムダセンサは、燃焼ゾーン１２のラムダ値を感知するために設けられ、少なくとも部分的に燃焼ゾーン１２内に延びる。さらに、改質器１０は、燃焼ゾーン１２に接続された蒸発ゾーン１４を備え、この蒸発ゾーンは、燃焼ゾーン１２から燃料と燃焼空気との混合気の供給を受ける。この構成では、センサ３０は、燃焼ゾーン１２と蒸発ゾーン１４との間の移行部の近くに配置される。それゆえ、燃焼ゾーン１２のラムダ値が蒸発ゾーン１４に存在するラムダ値の少なくとも一部又はそれに加えてツイークされるように、センサ３０が設けられてもよい。蒸発ゾーン１４および／または燃焼ゾーン１２の少なくとも一部は、蒸発ゾーン１４に付設された別の燃料ポンプ２２を介して燃料の供給を受けることができる。さらに、改質器１０は、蒸発ゾーン１４に直接接続され、ひいては蒸発ゾーン１４を介して燃焼ゾーン１２に接続された触媒ゾーン２８を備える。この構成では、触媒ゾーン２８は、蒸発ゾーンから混合気の供給を受けることができ、この蒸発ゾーンは、最終的に改質器１０に発生されたリフォーメートを燃料電池または燃料電池スタック（図示せず）に放出する。さらに、改質器１０の合計ラムダ値の閉／開ループ制御のための制御器２６が設けられる。燃料ポンプ２０、２２および燃焼空気ブロア１８を作動するために、制御器２６は、それらの各々に結合される。さらに、制御器２６は、燃焼ゾーン１２のラムダ値について感知されたデータを制御器２６に上述のように供給するセンサ３０に結合される。この関連で、制御器は、図２を参照して以下に説明するように、燃焼ゾーン１２のラムダ値の閉ループ制御を実行するためのＰＩＤ制御器１６と、燃焼ゾーン１２のラムダ値の閉ループ制御のための、および燃料ポンプ２０、２２の開ループ制御のための命令変数および基準変数を計算するための計算器２４とを備える。
【００３１】
次に図２を参照すると、制御器２６によって本発明による方法を実行するためのブロック図が示されている。本発明による方法は、第一に、感知データ３２を計算器２４に提供する。提供されるこれらの感知データ３２から、例えば、改質器１０および／または燃料電池システムに含まれる別の構成要素の作動状態がマッピングされる。このデータから、計算器２４は、燃焼ゾーン１２のラムダ値
【００３２】
【数３】
2010503598.tif 000005
【００３３】
の少なくとも１つの目標値（命令変数）と、蒸発ゾーン１４に付設された燃料ポンプ２２および燃焼ゾーン１２に付設された燃料ポンプ２０の燃料性能からの目標比率
【００３４】
【数４】
2010503598.tif 000006
【００３５】
のような基準変数と、改質器１０の合計燃料性能の目標値
【００３６】
【数５】
2010503598.tif 000007
【００３７】
のような基準値とを含む目標値の計算を実施することができる。燃焼ゾーン１２のラムダ値
【００３８】
【数６】
2010503598.tif 000008
【００３９】
の命令変数は、信号経路３４を介して比較器または減算器３６に送られて、燃焼ゾーン１２のラムダ値
【００４０】
【数７】
2010503598.tif 000009
【００４１】
の命令変数と、参照されるかまたは感知されるフィードバック経路３８によって供給されるラムダ値
【００４２】
【数８】
2010503598.tif 000010
【００４３】
との制御差を形成する。制御差は、ＰＩＤ伝達要素であるＰＩＤ制御器１６に供給される。制御差に従って、ＰＩＤ制御器１６は、改質器１０の燃焼ゾーン１２に空気流
【００４４】
【数９】
2010503598.tif 000011
【００４５】
を吹き込むように燃焼空気ブロア１８を設定する。さらに、改質器１０の合計燃料性能
【００４６】
【数１０】
2010503598.tif 000012
【００４７】
の目標値および目標比率
【００４８】
【数１１】
2010503598.tif 000013
【００４９】
は、対応する変換および置換を介して（加算器、減算器、乗算器、直接関係のない除算器によって実行）式
【００５０】
【数１２】
2010503598.tif 000014
【００５１】
によって、信号経路４２の燃焼ゾーン１２の目標燃料性能
【００５２】
【数１３】
2010503598.tif 000015
【００５３】
におよび信号経路４４の蒸発ゾーン１４の目標燃料性能
【００５４】
【数１４】
2010503598.tif 000016
【００５５】
に各々変換される。特性に基づき、信号経路４２と４４の伝達要素４０は、燃焼ゾーン１２の目標燃料性能
【００５６】
【数１５】
2010503598.tif 000017
【００５７】
および蒸発ゾーン１４の目標燃料性能
【００５８】
【数１６】
2010503598.tif 000018
【００５９】
を、燃焼ゾーン１２に付設された燃料ポンプ２０および蒸発ゾーン１４に付設された燃料ポンプ２２を作動するための信号ｕに各々変換する。例えば、燃料ポンプ２０、２２の作動と必要な燃料性能との関連は、燃料の熱量値を使用することによって一般に与えられる。特に、作動信号ｕにより、送給燃料流れは対応する燃料ポンプ２０、２２によって圧送され、この送給燃料流れから、熱量値の加算により、例えば、送給燃料流れと対応する熱量値とを乗算することによって、供給されるかまたは圧送される燃料性能を導くことができる。これらの作動信号ｕに基づき、次に、各々の燃料ポンプ２０、２２は、実際の燃料性能
【００６０】
【数１７】
2010503598.tif 000019
【００６１】
を燃焼ゾーン１２および蒸発ゾーン１４にそれぞれ供給する。前述のフィードバック経路３８を介して、燃焼ゾーン１２のラムダ値の閉ループ制御は、センサ３０によって既存のラムダ値
【００６２】
【数１８】
2010503598.tif 000020
【００６３】
のフィードバックにより実行され、この場合、繰り返し閉ループ制御が、減算器３６の制御差に基づきＰＩＤ制御器１６によって実行される。さらに、改質器１０の合計ラムダ値が、各々の燃料ポンプ２０、２２の燃料性能を参照することによって、また燃焼ゾーン１２のラムダ値を感知することによって、式
【００６４】
【数１９】
2010503598.tif 000021
【００６５】
に基づき信号経路３４によって計算される。この結果および／または供給された感知データ３２に基づき、目標値が新たに計算され、その結果、合計ラムダ値の閉／開ループ制御が全体的に可能である。
【００６６】
上記の説明に、図面に開示しかつ請求したような本発明の特徴は、個々にならびに任意の組み合わせで本発明の達成に本質的であり得ることが理解される。
【符号の説明】
【００６７】
１０…改質器、１２…燃焼ゾーン、１４…蒸発ゾーン、１６…ＰＩＤ制御器、１８…燃焼空気ブロア、２０…燃料ポンプ、２２…燃料ポンプ、２４…計算機、２６…制御器、２８…触媒ゾーン、３０…センサ、３２…感知データ、３４…信号経路、３６…減算器、３８…フィードバック経路、４０…伝達要素、４２…信号経路、４４…信号経路
【図１】
2010503598.tif 000022
【図２】
2010503598.tif 000023
【国際調査報告】
2010503598.tif 000024
2010503598.tif 000025
2010503598.tif 000026
2010503598.tif 000027
2010503598.tif 000028
2010503598.tif 000029